(57)【要約】      （修正有）【課題】チャットアプリケーションに基づいた共同ショッピングサービス提供装置及び方法を提供する。【解決手段】チャットアプリケーションに基づいた共同ショッピングサービス提供装置１００は、ホスト端末からチャットアプリケーションを通じて登録される複数の友人又はチャットルームに対するリストの中、一人以上の友人又はチャットルーム情報を受信する友人情報受信部と、友人またはチャットルームに属するメンバーに対応するゲスト端末にチャットアプリケーションを通じて招待メッセージを転送する招待部と、ホスト端末のショッピングカート領域に入れる商品リストをホスト端末とゲスト端末に提供し、商品リスト内でホスト端末とゲスト端末の中、何れか一つにより選択された商品の注文情報を受信する共同ショッピングサービス提供部を含む。ホスト端末とゲスト端末に提供される商品リストは、ホスト端末により決定される配送地位置に基づいて生成される。【選択図】図２
2018181342.tif 000002
【特許請求の範囲】
【請求項１】
チャットアプリケーションに基づいた共同ショッピングサービスを提供する装置において、
ホスト端末から前記チャットアプリケーションを通じて登録されている複数の友人またはチャットルームに対するリストの中、少なくとも一人の友人またはチャットルームに対する情報を受信する友人情報受信部と、
前記友人または前記チャットルームに属しているメンバーに対応するゲスト端末に前記チャットアプリケーションを通じて招待メッセージを転送する招待部と、
前記ホスト端末のショッピングカート領域に入れ込むことができる商品リストを前記ホスト端末及び前記ゲスト端末に提供し、前記商品リスト内で、前記ホスト端末及び前記ゲスト端末の中、少なくとも何れか一つにより選択された商品に対する注文情報を受信する共同ショッピングサービス提供部と、を含み、
前記ホスト端末及び前記ゲスト端末に提供される商品リストは、前記ホスト端末により決定される配送地の位置に基づいて生成されるものである、共同ショッピングサービス提供装置。
【請求項２】
前記配送地の位置は、前記ホスト端末のＧＰＳ情報または、前記ホスト端末に入力されたユーザー入力に基づいて決定されるものである、請求項１に記載の共同ショッピングサービス提供装置。
【請求項３】
前記商品リストは、前記配送地の位置を基準にして予め設定された半径内に位置した販売先または前記配送地の位置に対応する予め設定された区域と同じ区域に位置した販売先で販売中の商品に対する価格情報、在庫量情報及び種類の中、少なくとも何れか一つを含むものである、請求項１に記載の共同ショッピングサービス提供装置。
【請求項４】
前記共同ショッピングサービス提供部は、前記配送地の位置を基準にして検出された販売先の情報と、前記販売先で販売中の商品に対する情報を販売先のサーバーに問い合わせるものである、請求項３に記載の共同ショッピングサービス提供装置。
【請求項５】
前記共同ショッピングサービス提供部は、前記注文情報により前記選択された商品に対する決済が完了する場合、前記共同ショッピングサービスを終了させるものである、請求項１に記載の共同ショッピングサービス提供装置。
【請求項６】
前記招待部は、前記共同ショッピングサービスが終了する場合、前記チャットアプリケーションを通じて前記ゲスト端末に共同ショッピング完了メッセージを転送するものである、請求項５に記載の共同ショッピングサービス提供装置。
【請求項７】
前記共同ショッピング完了メッセージは、前記決済された商品に対する購買完了個数及び購買総金額の中、少なくとも何れか一つを含むものである、請求項６に記載の共同ショッピングサービス提供装置。
【請求項８】
前記共同ショッピング完了メッセージが団体チャットルームに提供された場合、前記共同ショッピング完了メッセージの閲覧は共同ショッピングに参加したホストとゲスト以外の前記団体チャットルーム内のユーザーに制限されるものである、請求項６に記載の共同ショッピングサービス提供装置。
【請求項９】
前記ショッピングサービス提供部は、前記共同ショッピングサービスを通じて購買された商品の情報を提供するものである、請求項１に記載の共同ショッピングサービス提供装置。
【請求項１０】
前記ホスト端末により前記複数の友人に対するリストの中、少なくとも一人の友人が選択された場合、前記招待メッセージは、前記選択された友人との個人チャットルーム内に提供され、
前記ホスト端末により前記チャットルームに対するリストの中、少なくとも何れか一つの団体チャットルームが選択された場合、前記招待メッセージは、前記選択された団体チャットルーム内に提供されるものである、請求項１に記載の共同ショッピングサービス提供装置。
【請求項１１】
前記友人情報受信部は、
前記ホスト端末が前記チャットアプリケーションのチャットルームを表示している状態で、前記チャットルームに対するユーザーのインタラクションの入力を受けることにより、前記表示されたチャットルームのメンバーに対する情報を受信するか、
前記ホスト端末が前記共同ショッピングサービスの実行画面を表示している状態で、前記チャットアプリケーションに登録されている友人またはチャットルームに対する情報を受信するものである、請求項１に記載の共同ショッピングサービス提供装置。
【請求項１２】
前記選択された商品に対する決済は、前記注文情報に基づいて前記ホスト端末により行われるものである、請求項１に記載の共同ショッピングサービス提供装置。
【請求項１３】
共同ショッピングサービス提供装置において、チャットアプリケーションに基づいた共同ショッピングサービスを提供する方法において、
ホスト端末から前記チャットアプリケーションを通じて登録されている複数の友人またはチャットルームに対するリストの中、少なくとも一人の友人またはチャットルームに対する情報を受信するステップと、
前記友人または前記チャットルームに属しているメンバーに対応するゲスト端末に、前記チャットアプリケーションを通じて招待メッセージを転送するステップと、
前記ホスト端末のショッピングカート領域に入れ込むことができる商品リストを前記ホスト端末及び前記ゲスト端末に提供するステップと、
前記商品リスト内で、前記ホスト端末及び前記ゲスト端末の中、少なくとも何れか一つにより選択された商品に対する注文情報を受信するステップと、を含み、
前記ホスト端末及び前記ゲスト端末に提供される商品リストは、前記ホスト端末により決定される配送地の位置に基づいて生成されるものである、共同ショッピングサービス提供方法。
【請求項１４】
チャットアプリケーションに基づいた共同ショッピングサービスを提供するホスト端末において、
前記チャットアプリケーションを通じて登録されている複数の友人またはチャットルームに対するリストの中、少なくとも一人の友人またはチャットルームを選択するユーザー入力を受信し、前記選択された友人または前記選択されたチャットルームに属しているメンバーに対応するゲスト端末に招待メッセージが転送されるように、サーバーに前記選択された友人に対する情報を転送する招待部と、
前記ホスト端末のショッピングカート領域に入れ込むことができる商品リストを提供し、前記ホスト端末及び前記ゲスト端末の中、少なくとも何れか一つにより前記商品リスト内から選択された商品に対する情報を提供し、前記提供された商品に対する注文情報をサーバーに転送する共同ショッピングサービス提供部と、を含み、
前記ホスト端末及び前記ゲスト端末に提供される商品リストは、前記ホスト端末により決定される配送地の位置に基づいて生成されるものである、ホスト端末。
【請求項１５】
ホスト端末において、チャットアプリケーションに基づいた共同ショッピングサービスを提供する方法において、
前記チャットアプリケーションを通じて登録されている複数の友人またはチャットルームに対するリストの中、少なくとも一人の友人またはチャットルームを選択するユーザー入力を受信するステップと、
前記選択された友人または前記選択されたチャットルームに属しているメンバーに対応するゲスト端末に招待メッセージが転送されるように、サーバーに前記選択された友人に対する情報を転送するステップと、
前記ホスト端末のショッピングカート領域に入れ込むことができる商品リストを提供するステップと、
前記ホスト端末及び前記ゲスト端末の中、少なくとも何れか一つにより前記商品リスト内から選択された商品に対する情報を提供するステップと、
前記提供された商品に対する注文情報をサーバーに転送するステップと、を含み、
前記ホスト端末及び前記ゲスト端末に提供される商品リストは、前記ホスト端末により決定される配送地の位置に基づいて生成されるものである、共同ショッピングサービス提供方法。
【発明の詳細な説明】
【技術分野】
【０００１】
本発明は、チャットアプリケーションに基づいた共同ショッピングサービスを提供する装置及び方法に関する。
【背景技術】
【０００２】
一般的に、ソーシャルネットワークサービス（Ｓｏｃｉａｌ  Ｎｅｔｗｏｒｋ  Ｓｅｒｖｉｃｅｓ、ＳＮＳ）は、あるユーザーが他のユーザーとの関係を結び、それを維持及び管理することができるようにする手段としての機能を有する。また、ＳＮＳは、ユーザー間でのメッセージの交換ができるようにするコミュニケーション機能を提供しているところ、このようなユーザー間のコミュニケーションは公開的、略公開的、私的に行われ得る。
【０００３】
最近、コミュニケーションプラットホームとしての機能を提供するチャットアプリケーションまたはメッセンジャーを用いて、インスタントメッセージを通じてモバイル及びオンラインの環境で、知り合いの間での即刻の情報共有が可能になるようにするインスタントメッセージサービスが常用化されている。
【０００４】
これに関し、大韓民国公開特許第１０−２００８−００２６７９２号（発明の名称：インスタントメッセージングサービスのためのシステム及びその方法）には、相手の通信端末のインスタントメッセンジャーから受信される時間に応じて異なる再生属性を有するフラッシュデータを格納するデータメモリと、フラッシュデータの再生ルーチンを搭載したフラッシュコンポーネント及びメッセンジャーを格納するシステムメモリと、システムメモリのメッセンジャーを実行して、フラッシュコンポーネントによりフラッシュデータを時間の流れに応じて異なるように再生するプロセッシングユニット構成を含む通信端末のインスタントメッセンジャーが開示されている。
【０００５】
このような従来のインスタントメッセンジャーまたはチャットアプリケーションが提供するインスタントメッセージサービスにおいては、単にテキストを中心にする情報的なメッセージの伝達が主な機能であった。しかし、インスタントメッセージサービスのユーザーから情報的なメッセージの伝達以上の多様なサービスに対する要求が大きくなっている。
【先行技術文献】
【特許文献】
【０００６】
【特許文献１】大韓民国公開特許第１０−２００８−００２６７９２号
【発明の概要】
【発明が解決しようとする課題】
【０００７】
本願は、チャットアプリケーションに基づいた共同ショッピングサービスを提供する共同ショッピングサービス提供装置及びそれに対する方法を提供する。チャットアプリケーションを通じて登録されている複数の友人またはチャットルームに属しているメンバーをホスト端末の共同ショッピングサービスに招待することができる共同ショッピングサービス提供装置及びそれに対する方法を提供する。ホスト端末により決定される配送地の位置に基づいて生成される商品リストを提供することができる共同ショッピングサービス提供装置及びそれに対する方法を提供する。ホスト端末及びゲスト端末の中、少なくとも何れか一つにより選択された商品に対する決済が完了する場合、共同ショッピングサービスを終了させることができる共同ショッピングサービス提供装置及びそれに対する方法を提供する。
【０００８】
但し、本実施例が達成しようとする技術的課題は、上記のような技術的課題に限定されず、さらに他の技術的課題が存在し得る。
【課題を解決するための手段】
【０００９】
上述した技術的課題を解決するための技術的手段として、本発明の一側面に係るチャットアプリケーションに基づいた共同ショッピングサービスを提供する装置は、ホスト端末から前記チャットアプリケーションを通じて登録されている複数の友人またはチャットルームに対するリストの中、少なくとも一人の友人またはチャットルームに対する情報を受信する友人情報受信部と、前記友人または前記チャットルームに属しているメンバーに対応するゲスト端末に前記チャットアプリケーションを通じて招待メッセージを転送する招待部と、前記ホスト端末のショッピングカート領域に入れ込むことができる商品リストを前記ホスト端末及び前記ゲスト端末に提供し、前記商品リスト内で、前記ホスト端末及び前記ゲスト端末の中、少なくとも何れか一つにより選択された商品に対する注文情報を受信する共同ショッピングサービス提供部と、を含み、前記ホスト端末及び前記ゲスト端末に提供される商品リストは、前記ホスト端末により決定される配送地の位置に基づいて生成される。
【００１０】
また、本発明の他の側面に係る、共同ショッピングサービス提供装置において、チャットアプリケーションに基づいた共同ショッピングサービスを提供する方法は、ホスト端末から前記チャットアプリケーションを通じて登録されている複数の友人またはチャットルームに対するリストの中、少なくとも一人の友人またはチャットルームに対する情報を受信するステップと、前記友人または前記チャットルームに属しているメンバーに対応するゲスト端末に、前記チャットアプリケーションを通じて招待メッセージを転送するステップと、前記ホスト端末のショッピングカート領域に入れ込むことができる商品リストを前記ホスト端末及び前記ゲスト端末に提供するステップと、前記商品リスト内で、前記ホスト端末及び前記ゲスト端末の中、少なくとも何れか一つにより選択された商品に対する注文情報を受信するステップと、を含み、前記ホスト端末及び前記ゲスト端末に提供される商品リストは、前記ホスト端末により決定される配送地の位置に基づいて生成される。
【００１１】
また、本発明の他の側面に係る、チャットアプリケーションに基づいた共同ショッピングサービスを提供するホスト端末は、前記チャットアプリケーションを通じて登録されている複数の友人またはチャットルームに対するリストの中、少なくとも一人の友人またはチャットルームを選択するユーザー入力を受信し、前記選択された友人または前記選択されたチャットルームに属しているメンバーに対応するゲスト端末に招待メッセージが転送されるように、サーバーに前記選択された友人に対する情報を転送する招待部と、前記ホスト端末のショッピングカート領域に入れ込むことができる商品リストを提供し、前記ホスト端末及び前記ゲスト端末の中、少なくとも何れか一つにより前記商品リスト内から選択された商品に対する情報を提供し、前記提供された商品に対する注文情報をサーバーに転送する共同ショッピングサービス提供部と、を含み、前記ホスト端末及び前記ゲスト端末に提供される商品リストは、前記ホスト端末により決定される配送地の位置に基づいて生成される。
【００１２】
また、本発明の他の側面に係る、ホスト端末において、チャットアプリケーションに基づいた共同ショッピングサービスを提供する方法は、前記チャットアプリケーションを通じて登録されている複数の友人またはチャットルームに対するリストの中、少なくとも一人の友人またはチャットルームを選択するユーザー入力を受信するステップと、前記選択された友人または前記選択されたチャットルームに属しているメンバーに対応するゲスト端末に招待メッセージが転送されるように、サーバーに前記選択された友人に対する情報を転送するステップと、前記ホスト端末のショッピングカート領域に入れ込むことができる商品リストを提供するステップと、前記ホスト端末及び前記ゲスト端末の中、少なくとも何れか一つにより前記商品リスト内から選択された商品に対する情報を提供するステップと、前記提供された商品に対する注文情報をサーバーに転送するステップと、を含み、前記ホスト端末及び前記ゲスト端末に提供される商品リストは、前記ホスト端末により決定される配送地の位置に基づいて生成される。
【発明の効果】
【００１３】
前述した発明の課題を解決するための手段の中、何れか一つによると、チャットアプリケーションに基づいた共同ショッピングサービスを提供することで、チャットアプリケーションとオンライン購買サービスとを連動することができるようにする共同ショッピングサービス提供装置及びそれに対する方法を提供することができる。
【００１４】
なお、本発明の課題を解決するための手段の中、何れか一つによると、チャットアプリケーションを通じて登録されている複数の友人またはチャットルームに属しているメンバーをホスト端末の共同ショッピングサービスに招待することで、チャットアプリケーション内の知り合いと共同でオンライン購買サービスを行うようにする共同ショッピングサービス提供装置及びそれに対する方法を提供することができる。
【００１５】
さらに、本発明の課題を解決するための手段の中、何れか一つによると、ホスト端末により決定される配送地の位置に基づいて生成される商品リストを提供することで、共同ショッピングサービスを要請したホスト端末のメタデータに基づいてオーダーメード型商品を抽出することができるようにする共同ショッピングサービス提供装置及びそれに対する方法を提供することができる。
【００１６】
尚、本発明の課題を解決するための手段の中、何れか一つによると、ホスト端末及びゲスト端末の中、少なくとも何れか一つにより選択された商品に対する決済が完了する場合、共同ショッピングサービスを終了させることで、チャットアプリケーションと共同ショッピングサービスとをシームレス（ｓｅａｍｌｅｓｓ）で連動及び切り替えるようにする共同ショッピングサービス提供装置及びそれに対する方法を提供することができる。
【図面の簡単な説明】
【００１７】
【図１】本発明の一実施例に係る共同ショッピングサービス提供システムの構成図である。
【図２】本発明の一実施例に係る共同ショッピングサービス提供装置の構成図である。
【図３】本発明の一実施例に係る共同ショッピングサービス提供装置における共同ショッピングサービスを提供する方法のフロー図である。
【図４】本発明の一実施例に係るホスト端末の構成図である。
【図５】本発明の一実施例に係るホスト端末において共同ショッピングサービスを提供する方法のフロー図である。
【図６Ａ】本発明の一実施例に係るチャットアプリケーションを通じて提供される共同ショッピングサービスを示す例示図である。
【図６Ｂ】本発明の一実施例に係るチャットアプリケーションを通じて提供される共同ショッピングサービスを示す例示図である。
【図６Ｃ】本発明の一実施例に係るチャットアプリケーションを通じて提供される共同ショッピングサービスを示す例示図である。
【図６Ｄ】本発明の一実施例に係るチャットアプリケーションを通じて提供される共同ショッピングサービスを示す例示図である。
【図７】本発明の一実施例に係る共同ショッピングサービスにおいて、チャットアプリケーションを通じて提供される招待メッセージを示す例示図である。
【図８】本発明の一実施例に係る商品に対して決済が完了した共同ショッピングサービスを示す例示図である。
【図９】本発明の一実施例に係る共同ショッピングサービス提供システムにおいて、共同ショッピングサービスを提供する方法の信号フロー図である。
【図１０】本発明の他の実施例に係る共同ショッピングサービス提供システムにおいて、共同ショッピングサービスを提供する方法の信号フロー図である。
【発明を実施するための形態】
【００１８】
以下では、添付した図面を参照しながら、本発明の属する技術分野において通常の知識を有する者が容易に実施できるように本発明の実施例を詳しく説明する。ところが、本発明は、様々な異なる形態で具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００１９】
明細書全体において、ある部分が他の部分と「連結」されているという場合、これは「直接的に連結」されている場合だけでなく、その中間に他の素子を介して「電気的に連結」されている場合も含む。また、ある部分がある構成要素を「含む」とする場合、これは、特に反対の記載がない限り、他の構成要素を除くのではなく、他の構成要素をさらに含み得ることを意味する。
【００２０】
本明細書において、「部」とは、ハードウェアにより実現されるユニット（ｕｎｉｔ）と、ソフトウェアにより実現されるユニットと、それらの両方を用いて実現されるユニットとを含む。また、１つのユニットが２つ以上のハードウェアを用いて実現されても良く、２つ以上のユニットが１つのハードウェアにより実現されても良い。一方、「〜部」は、ソフトウェアまたはハードウェアに限定される意味ではなく、「〜部」は、アドレシングすることができる格納媒体にあるように構成されることもでき、一つまたはそれ以上のプロセッサを再生させるように構成されることもできる。よって、その一例として、「〜部」は、ソフトウェア構成要素、客体志向のソフトウェア構成要素、クラス構成要素、及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と「〜部」の中から提供される機能は、より小さな数の構成要素及び「〜部」で結合されるか、追加的な構成要素と「〜部」にさらに分離され得る。尚、構成要素及び「〜部」は、デバイスまたは保安マルチメディアカード内の一つまたはそれ以上のＣＰＵを再生させるように具現されることもできる。
【００２１】
図１は、本発明の一実施例に係る共同ショッピングサービス提供システムの構成図である。
【００２２】
図１は、本発明の一実施例に係る共同ショッピングサービス提供システムの構成図である。図１を参照すれば、共同ショッピングサービス提供システム（１）は、共同ショッピングサービス提供装置（１００）、ホスト端末（１１０）、及びゲスト端末（１２０）を含むことができる。共同ショッピングサービス提供装置（１００）、ホスト端末（１１０）、及びゲスト端末（１２０）は、共同ショッピングサービス提供システム（１）により制御されることができる構成要素を例示的に示したものである。
【００２３】
図１の共同ショッピングサービス提供システム（１）の各構成要素は、一般的に、ネットワーク（ｎｅｔｗｏｒｋ）を通じて連結される。例えば、図１に示すように、共同ショッピングサービス提供装置（１００）は、ホスト端末（１１０）及びゲスト端末（１２０）と同時に、または時間間隔を置いて連結されることができる。
【００２４】
ネットワークは、端末及びサーバーのようなそれぞれのノード相互間での情報交換が可能な連結構造を意味するものであって、このようなネットワークの一例は、３Ｇ、４Ｇ、５Ｇ、Ｗｉ−Ｆｉ、ブルートゥース（登録商標）（Ｂｌｕｅｔｏｏｔｈ（登録商標））、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）などが含まれるが、これらに限定されない。
【００２５】
共同ショッピングサービス提供装置（１００）は、ホスト端末（１１０）及びゲスト端末（１２０）が接続することができる一種のサーバーであって、チャットアプリケーションに基づいた共同ショッピングサービスをホスト端末（１１０）及びゲスト端末（１２０）に提供することができる。一方、本願発明の共同ショッピングサービス提供装置（１００）は、共同ショッピングサービスを提供することに先立って、インスタントメッセージサービスをホスト端末（１１０）及びゲスト端末（１２０）に提供するように構成されることもできる。
【００２６】
本願発明のチャットアプリケーションは、各端末に設けられ、インスタントメッセージサービスのために登録されている友人間にチャットルームを提供するアプリケーションを意味し、ウェブブラウザーを通じてインスタントメッセージサービスのためのチャットルームを提供することができる。参考までに、チャットルームとは、２人以上のユーザーが参加してインスタントメッセージを交換することができるように、サーバー上に開設される仮想の空間を意味する。
【００２７】
尚、本願発明の共同ショッピングサービスは、予め契約された商品の提供者と連動して、共同ショッピングサービスを要請するホスト端末（１１０）、及びホスト端末（１１０）により招待されたゲスト端末（１２０）に提供されるオンライン購買サービスであって、ホスト端末（１１０）のショッピングカート領域に、ホスト端末（１１０）だけではなく、ゲスト端末（１２０）も商品を入れ込むことができ、ホスト端末（１１０）とゲスト端末（１２０）により共同で行われたショッピングを通じて、入れ込まれている商品を決済することができるようにするサービスを提供することができる。
【００２８】
すなわち、本願発明は、インスタントメッセージサービスを提供するチャットアプリケーションと連動する共同ショッピングサービスを提供することで、ホスト端末（１１０）のユーザーがチャットアプリケーションを通じて登録されている友人を簡便にホスト端末（１１０）のショッピングカートに招待することができるので、特定の行事に必要な物品を買う行為のように、共同での作業を要する場合においてホスト端末（１１０）のユーザーと、招待されたゲスト端末（１２０）のユーザーとの間の連帯が簡便に成されるようにする。
【００２９】
なお、本願発明は、ホスト端末（１１０）のユーザーだけではなく、招待されたゲスト端末（１２０）のユーザーが所望する商品も容易に選択され得るので、ホスト端末（１１０）のユーザー及びゲスト端末（１２０）のユーザーのニーズを同時に満たせることができるショッピングサービスを提供することができる。
【００３０】
具体的に、共同ショッピングサービス提供装置（１００）は、ホスト端末（１１０）にチャットアプリケーションを通じて登録されている複数の友人またはチャットルームに対するリストを提供することができる。また、共同ショッピングサービス提供装置（１００）は、提供されたリストの中、少なくとも一人の友人またはチャットルームに対する情報をホスト端末（１１０）から受信することができる。
【００３１】
共同ショッピングサービス提供装置（１００）は、友人またはチャットルームに属している友人に対応するゲスト端末（１２０）でチャットアプリケーションを通じて招待メッセージを転送することができる。
【００３２】
共同ショッピングサービス提供装置（１００）は、ゲスト端末（１２０）から招待メッセージに対する受諾信号を受信する場合、ホスト端末（１１０）のショッピングカート領域に入れ込むことができる商品リストをホスト端末（１１０）及びゲスト端末（１２０）に提供することができる。この場合、ホスト端末（１１０）及びゲスト端末（１２０）に提供される商品リストは、ホスト端末（１１０）により決定される配送地の位置に基づいて生成されることができる。
【００３３】
共同ショッピングサービス提供装置（１００）は、ホスト端末（１１０）及びゲスト端末（１２０）に提供された商品リスト内で、ホスト端末（１１０）及びゲスト端末（１２０）の中、少なくとも何れか一つにより選択された商品に対する決済情報を受信することができる。
【００３４】
ホスト端末（１１０）は、共同ショッピングサービス提供装置（１００）に接続することができる端末であって、インターネット通信及び情報検索などのコンピュータサポート機能が追加された知能型端末であることができる。ホスト端末（１１０）には、インスタントメッセージサービスのためのチャットルームを提供するチャットアプリケーションが設けられることができ、ウェブブラウザーまたは既に設置された他の応用プログラムを通じて、インスタントメッセージサービスのためのチャットルームを提供することができる。その他にも、ホスト端末（１１０）は、ＰＣなどのように共同ショッピングサービス提供装置（１００）に有無線通信を通じて接続することができる装置であることもできる。
【００３５】
ホスト端末（１１０）は、チャットアプリケーションのチャットルームにおいて、ユーザー間で送受信されたインスタントメッセージをチャットウィンドウにディスプレイすることができる。
【００３６】
ホスト端末（１１０）は、共同ショッピングサービスを共同ショッピングサービス提供装置（１００）に要請することができる。共同ショッピングサービスがチャットアプリケーション内の一部機能として提供される場合、ホスト端末（１１０）は、共同ショッピングサービスをチャットアプリケーションを通じて共同ショッピングサービス提供装置（１００）に要請することができ、共同ショッピングサービスがチャットアプリケーションと独立的なプログラムでホスト端末（１１０）に設けられる場合、ホスト端末（１１０）はチャットアプリケーションの実行なしに直接に共同ショッピングサービス提供装置（１００）に要請することができる。チャットアプリケーションの実行なしに直接に共同ショッピングサービス提供装置（１００）に要請する場合、ホスト端末（１１０）は共同ショッピングサービス提供装置（１００）からチャットアプリケーションを通じて登録されている複数の友人またはチャットルームに対するリストの提供を受けてユーザーに提供することができる。
【００３７】
ホスト端末（１１０）は、ホスト端末（１１０）のショッピングカートに招待するために提供された複数のリストの中、少なくとも一人の友人またはチャットルームを選択するユーザー入力を受信することができる。また、ホスト端末（１１０）は、ユーザー入力により選択された友人または選択されたチャットルームに属している友人に対応するゲスト端末（１２０）に招待メッセージが転送されるように、共同ショッピングサービス提供装置（１００）に選択された友人に対する情報を転送することができる。
【００３８】
尚、ホストの招待メッセージ転送過程なしにチャットアプリケーションのチャットルームでショッピングサービスに直ぐに引入される場合として、ホスト端末（１１０）は、ホスト端末（１１０）のユーザーが現在対話中のチャットルームでチャットルームの追加メニューに対する選択、スワイピング入力などを通じて共同ショッピングサービスに参加できるように、チャットルームに属しているメンバーを招待することができる。すなわち、ホスト端末（１１０）のユーザーは、チャットアプリケーションで既に生成されたチャットルームを通じてチャットルームのメンバーと話し合いながら招待メッセージの転送及び受信がなくても共同ショッピングサービスに参加するように招待することができる。例えば、追加メニューはチャットルームでのユーザー入力を通じてチャットルームの下端に表示されることができ、写真、動画、カメラ、共同ショッピングサービスのショートカットメニューなどを含む複数のメニューを含むことができる。ホスト端末（１１０）は、追加メニューを通じて表示された共同ショッピングサービスのショートカットメニューの選択を受けて、チャットルームに属しているメンバーを共同ショッピングサービスに直ぐに招待することができる。また、ホスト端末（１１０）がチャットルームを表示している状態でホストユーザーのスワイピング入力を受信する場合、共同ショッピングサービスを行うこともできる。
【００３９】
ホスト端末（１１０）は、ホスト端末（１１０）のショッピングカート領域に入れ込むことができる商品リストを共同ショッピングサービス提供装置（１００）から受信してユーザーに提供することができる。この場合、ホスト端末（１１０）及びゲスト端末（１２０）に提供される商品リストは、ホスト端末（１１０）により決定される配送地の位置に基づいて生成されることができる。
【００４０】
ホスト端末（１１０）は、ユーザー入力により、商品リストの中、少なくとも何れか一つの商品が選択されることができ、ホスト端末（１１０）及び招待メッセージを受諾したゲスト端末（１２０）の中、少なくとも何れか一つにより商品リスト内から選択された商品に対する情報を共同ショッピングサービス提供装置（１００）から受信してユーザーに提供することができる。また、ホスト端末（１１０）は、上述した例のように、ホストの招待メッセージ発送過程を省略して共同ショッピングサービスに参加したゲスト端末（１２０）により商品リスト内から選択された商品に対する情報を共同ショッピングサービス提供装置（１００）から受信することもできる。一方、ゲスト端末（１２０）がホスト端末（１１０）から招待メッセージなしに共同ショッピングサービスに招待されるか、招待に対するゲスト端末（１２０）の受諾が要求されない場合、ゲスト端末（１２０）は共同ショッピングサービスと係わる招待に対する識別情報を表示してゲストユーザーに知らせることができ、その識別情報を参照してゲスト端末（１１０）は共同ショッピングサービスに引入されることができる。
【００４１】
それ以後、ホスト端末（１１０）は、提供された商品に対してユーザーにより決済が要請される場合、提供された商品に対する決済情報を共同ショッピングサービス提供装置（１００）に転送することができる。決済情報は選択された商品に対して注文を要請するための注文情報を含むことができる。この場合、注文情報は選択された商品に対する情報及び決済金額情報を含む。それ以後、共同ショッピングサービス提供装置（１００）とカード社サーバーまたは決済代行サーバー間の決済金額処理（決済承認）などの過程のための情報が送受信されることができる。
【００４２】
ゲスト端末（１２０）は、共同ショッピングサービス提供装置（１００）に接続することができる端末であって、ホスト端末（１１０）による要請によって共同ショッピングサービスに招待された少なくとも何れか一つの端末であり得る。すなわち、本願発明のゲスト端末（１２０）とは、ホスト端末（１１０）に設けられたチャットアプリケーションに登録されている複数の友人の中で、ホスト端末（１１０）により共同ショッピングサービスに招待された少なくとも一人の友人に対応する端末及びホスト端末（１１０）により共同ショッピングサービスに招待された団体チャットルームに属しているメンバーに対応する端末を意味することができる。この場合、招待を受けた団体チャットルームに属しているメンバーであれば、ホスト端末（１１０）に設けられたチャットアプリケーションに友人として登録されていないユーザーであっても共同ショッピングサービスに招待されることができる。
【００４３】
ゲスト端末（１２０）は、ホスト端末（１１０）の招待により、共同ショッピングサービス提供装置（１００）から予め設けられたチャットアプリケーションを通じてインスタントメッセージの形式で招待メッセージを受信することができる。
【００４４】
ゲスト端末（１２０）は、ユーザー入力により受信された招待メッセージを受諾することができ、招待メッセージを受諾した場合、招待メッセージに対する受諾信号を共同ショッピングサービス提供装置（１００）に転送することができる。それ以後、ゲスト端末（１２０）は、ホスト端末（１１０）のショッピングカート領域に入れ込むことができる商品リストを共同ショッピングサービス提供装置（１００）から提供を受けることができる。
【００４５】
ゲスト端末（１２０）は、ユーザー入力により、商品リストの中、少なくとも何れか一つの商品が選択されることができ、ホスト端末（１１０）及びゲスト端末（１２０）の中、少なくとも何れか一つにより、商品リスト内から選択された商品に対する情報を共同ショッピングサービス提供装置（１００）から受信してユーザーに提供することができる。この場合、選択された商品に対する決済はホスト端末（１１０）により行われ得る。
【００４６】
選択された商品に対する決済と係わって、本願発明では、共同ショッピングサービスを要請したホスト端末により決済が行われるように記述しているが、共同ショッピングサービスに参加したメンバーの中、ホスト端末（１１０）により指目された他のユーザーに該当するゲスト端末（１２０）により決済が行われ得る。
【００４７】
ホスト端末（１１０）及びゲスト端末（１２０）の一例は、アプリケーションの設置が可能な端末であって、３Ｇ、４Ｇ、５Ｇ  端末、スマートホン（ｓｍａｒｔ  ｐｈｏｎｅ）、スマートパッド（ｓｍａｒｔ  ｐａｄ）、タブレットＰＣ（Ｔａｂｌｅｔ  ＰＣ）、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）などのように、携帯性及び移動性が保障される全種類の無線通信装置を含むことができる。
【００４８】
図２は、本発明の一実施例に係る共同ショッピングサービス提供装置の構成図である。
【００４９】
図２に示すように、本発明の一実施例に係る共同ショッピングサービス提供装置（１００）は、友人情報受信部（２１０）、招待部（２２０）、及び共同ショッピングサービス提供部（２３０）を含むことができる。以下では、各構成について具体的に説明する。
【００５０】
友人情報受信部（２１０）は、ホスト端末（１１０）にチャットアプリケーションを通じて登録されている複数の友人リストまたはチャットルームに対するリストを提供することができる。複数の友人は、ホスト端末（１１０）のユーザーの知り合いであって、ホスト端末（１１０）に設けられたチャットアプリケーションを通じて予め登録されている友人であり、チャットルームは、ホスト端末（１１０）のユーザーが参加して、他のユーザーがインスタントメッセージを取り交わすチャットルームであり得る。この際、チャットルームにはホスト端末（１１０）の友人として登録されていないユーザーも共同ショッピングサービスに対するメンバーとして含まれ得る。例えば、友人情報受信部（２１０）は、ホスト端末（１１０）から共同ショッピングサービスに対する要請を受信する場合、ホスト端末（１１０）にチャットアプリケーションを通じて登録されている複数の友人またはホスト端末（１１０）のユーザーが参加しているチャットルームに対するリストを提供することができる。
【００５１】
友人情報受信部（２１０）は、ホスト端末（１１０）に提供された複数の友人またはチャットルームに対するリストの中、ホスト端末（１１０）のユーザー入力により選択された少なくとも一人の友人またはチャットルームに対する情報をホスト端末（１１０）から受信することができる。この場合、受信されたチャットルームに対する情報は該チャットルームに参加中の各メンバーに対する情報を含むことができる。
【００５２】
尚、友人情報受信部（２１０）は、チャットアプリケーションを通じてショッピングサービスに直ぐに引入される場合であって、ホスト端末（１１０）からホスト端末（１１０）のユーザーが現在対話中のチャットルームでチャットルームの追加メニューに対する選択、スワイピング入力などを通じて共同ショッピングサービスに参加できるように、チャットルームに属しているメンバーに対する情報を受信することができる。すなわち、友人情報受信部（２１０）は、招待メッセージの転送及び受信なしに招待されたチャットルームのメンバーの情報を受信して、共同ショッピングサービスに参加するようにすることができる。例えば、追加メニューは、チャットルームでのユーザー入力を通じてチャットルームの下端に表示されることができ、写真、動画、カメラ、共同ショッピングサービスのショートカットメニューなど含む複数のメニューを含むことができる。ホスト端末（１１０）は、追加メニューを通じて表示された共同ショッピングサービスのショートカットメニューの選択を受けて、チャットルームに属しているメンバーを共同ショッピングサービスに直ぐに招待することができる。
【００５３】
招待部（２２０）は、ホスト端末（１１０）により招待された友人に招待メッセージを、チャットアプリケーションを通じて転送することができる。具体的に、招待部（２２０）は、ホスト端末（１１０）から受信した情報であって、これに該当する友人またはチャットルームに属している友人に対応するゲスト端末（１２０）にチャットアプリケーションを通じて招待メッセージを転送することができる。この場合、招待部（２２０）は、チャットアプリケーションを通じてインスタントメッセージの形式で招待メッセージをゲスト端末（１２０）に転送することができる。
【００５４】
例えば、ホスト端末（１１０）により複数の友人に対するリストの中、少なくとも一人の友人が選択される場合、招待メッセージは、選択された友人との個人チャットルーム内に提供され得る。例えば、ホスト端末（１１０）によりチャットルームに対するリストの中、少なくとも何れか一つの団体チャットルームが選択された場合、招待メッセージは選択された団体チャットルーム内に提供されることができる。一方、招待メッセージは、団体チャットルームに属しているメンバーの中、ホスト端末（１１０）の友人として登録されていないメンバーにも転送され得る。
【００５５】
招待部（２２０）は、ホスト端末（１１０）により要請された共同ショッピングサービスが終了する場合、共同ショッピングサービスを行っていた友人に共同ショッピング完了メッセージをチャットアプリケーションを通じて転送することができる。すなわち、共同ショッピング完了メッセージは、共同ショッピングサービスに参加していたゲスト端末（１２０）が受信することができる。例えば、共同ショッピング完了メッセージは、決済された商品に対する購買完了個数、購買総金額、決済された商品を発送する業社、決済された商品が位置する販売先情報などを含むことができる。一方、招待メッセージは、ユーザー入力により、招待に対して受諾するメッセージまたは招待に対する受諾が必要ない招待された結果を知らせるメッセージを含むことができる。
【００５６】
共同ショッピングサービス提供部（２３０）は、ホスト端末（１１０）及びホスト端末から招待を受けたゲスト端末（１２０）に共同ショッピングサービスと係わる全般的な機能を提供することができる。具体的に、共同ショッピングサービス提供部（２３０）は、ゲスト端末（１２０）から招待メッセージに対する受諾信号を受信することができる。この場合、共同ショッピングサービス提供部（２３０）は、ホスト端末（１１０）のショッピングカート領域に入れ込むことができる商品リストをホスト端末（１１０）及びゲスト端末（１２０）に提供することができる。
【００５７】
ホスト端末（１１０）及びゲスト端末（１２０）に提供される商品リストは、購買可能な商品を少なくとも一つ以上含み、ホスト端末（１１０）により決定される配送地の位置に基づいて抽出された少なくとも何れか一つの商品に基づいて生成され得る。例えば、商品リストは、ホスト端末（１１０）により決定された配送地の位置に基づいて予め設定された半径内に位置した一つ以上の販売先（例えば、市場、コンビニなど）で販売中の商品に対する価格情報、在庫量情報、及び種類などを含むことができる。この際、販売先は、ホスト端末（１１０）により設定される特定種類の商品（例えば、衣類、食品類、家電製品、家具など）の販売先であり得る。配送地の位置は、ホスト端末（１１０）の現在位置に該当するＧＰＳ情報、特定の地域名、または地図上のＰＯＩ（Ｐｏｉｎｔ  ｏｆ  Ｉｎｔｅｒｅｓｔ）、ユーザーが直接に入力した場所の名称などのように、ホスト端末（１１０）に入力されたユーザー入力に基づいて決定され得る。
【００５８】
もし、ホスト端末（招待したユーザー）から決定された配送地の位置と、ゲスト端末（招待を受けたユーザー）から決定された配送地の位置と、が異なる場合、各端末から決定された配送地の位置に応じて端末別に商品を露出させれば端末ごとに露出される商品が変わり得る。つまり、端末ごとに露出する商品が相違する結果、ホスト端末とゲスト端末が共同でショッピングすることができない問題が発生し得る。よって、上記のような状況を予防するために、本願発明は、共同ショッピングサービスを要請するホスト端末により決定される配送地の位置に基づいて生成される商品リストをホスト端末及びゲスト端末に提供する。
【００５９】
共同ショッピングサービス提供部（２３０）は、ホスト端末（１１０）及びゲスト端末（１２０）から商品リスト内でホスト端末（１１０）及びゲスト端末（１２０）の中、少なくとも何れか一つにより選択された商品に対する情報の要請を受けることができ、要請に対する応答として選択された商品に対する情報をホスト端末（１１０）及びゲスト端末（１２０）に提供することができる。例えば、選択された商品に対する情報は、商品の種類、価格、製造日付、製造会社、商品の成分、在庫数量などを含むことができる。
【００６０】
共同ショッピングサービス提供部（２３０）は、配送地の位置を基準にして予め設定された半径内に位置した販売先、または、配送地の位置に対応する予め設定された区域と同じ区域に位置した販売先を検索する。一方、予め設定された区域は、郵便番号（例えば、洞、区、等）を基準にして決定される行政区域であることができ、販売先または共同ショッピングサービス提供装置（１００）が予め設定した特定の空間または区画に対する情報であることもできる。尚、共同ショッピングサービス提供部（２３０）は、該販売先の情報、販売先で販売中の商品などに対する情報を販売先サーバーに問い合わせることができる。共同ショッピングサービス提供部（２３０）は、販売先サーバーから受信した販売先の情報、販売先から販売中の商品などに対する情報をホスト端末（１１０）及びゲスト端末（１２０）に提供することができる。
【００６１】
共同ショッピングサービス提供部（２３０）は、選択された商品に対する決済情報をホスト端末（１１０）から受信することができる。例えば、選択された商品に対する決済は決済情報に基づいてホスト端末（１１０）により行われ得る。また、共同ショッピングサービスに参加したメンバーの中、ホスト端末（１１０）により指目された他のユーザーに該当するゲスト端末（１２０）により決済が行われ得る。
【００６２】
共同ショッピングサービス提供部（２３０）は、決済情報により選択された商品に対する決済が完了する場合、ホスト端末（１１０）及びゲスト端末（１２０）に提供中の共同ショッピングサービスを終了させることができる。この場合、招待部（２２０）は、共同ショッピングサービスが終了する場合、共同ショッピングサービスの提供を受けたゲスト端末（１２０）に共同ショッピング完了メッセージをチャットアプリケーションを通じて転送することができる。
【００６３】
共同ショッピングサービス提供部（２３０）は、選択された商品に対する決済が完了する場合、提携中の販売先と連動して、選択された商品に対する注文を進行することができる。
【００６４】
ショッピングサービス提供部（２３０）は、ホスト端末（１１０）及びゲスト端末（１２０）に共同ショッピングサービスを通じて購買された商品の情報を提供することができる。例えば、ショッピングサービス提供部（２３０）は、共同ショッピングサービスを提供するに先立って、過去の共同ショッピングサービスを通じて購買された商品の情報または最近に提供された共同ショッピングサービスを通じて購買された商品の情報などのような共同ショッピングサービスの利用ヒストリーを提供することができ、現時点で購買された商品の情報と共同ショッピングサービスの利用ヒストリーを比較して購買傾向を提供することもできる。すなわち、ショッピングサービス提供部（２３０）は、共同ショッピングサービスの利用ヒストリーを提供することで、ホスト端末（１１０）及びゲスト端末（１２０）がより便利に共同ショッピングサービスを利用できるようにする。
【００６５】
尚、共同ショッピングサービス提供部（２３０）は、共同ショッピングサービスを通じて特定のチャットルームまたは友人により行われた購買履歴または購買傾向情報を提供することができる。このような購買履歴または購買傾向に対する情報は、チャットルームを通じてインスタントメッセージまたは別途のＵＩを通じて表示され得る。
【００６６】
図３は、本発明の一実施例に係る共同ショッピングサービス提供装置において、共同ショッピングサービスを提供する方法のフロー図である。
【００６７】
図３に示す実施例に係る共同ショッピングサービス提供装置（１００）により提供される共同ショッピングサービス提供方法は、図１ないし図２に示す実施例に係る共同ショッピングサービス提供システム（１）において、時系列的に処理されるステップを含む。よって、以下、省略した内容ではあるが、図１ないし図２に示す実施例に係る共同ショッピングサービス提供装置（１００）により提供される共同ショッピングサービス提供方法にも適用される。
【００６８】
ステップＳ３１０において、共同ショッピングサービス提供装置（１００）は、ホスト端末（１１０）にチャットアプリケーションを通じて登録されている複数の友人またはチャットルームに対するリストを提供することができる。このステップの以前に、共同ショッピングサービス提供装置（１００）は、ホスト端末（１１０）から複数の友人またはチャットルームに対するリストの要請を受けることができる。一方、共同ショッピングサービス提供装置（１００）は、複数の友人またはチャットルームに対するリストに対する提供がなくても、ホスト端末（１１０）からチャットアプリケーションを通じて複数の友人リストの中、何れか一人の友人に対してロングタッチするなどの入力を通じて、共同ショッピングサービスに対するメニューの選択を受けた少なくとも一人の友人に対するリストを受信し、受信されたリストに該当する友人に共同ショッピングサービスを提供することができる。例えば、共同ショッピングサービス提供装置（１００）は、複数の友人またはチャットルームに対するリストに対する提供がなくても、ホスト端末（１１０）からホスト端末（１１０）のユーザーが現在対話中のチャットルームにおいて、チャットルームの追加メニューに対する選択、スワイピング入力などを通じて共同ショッピングサービスメニューの選択を受けて、該チャットルームに属しているメンバーに共同ショッピングサービスを提供することができる。例えば、追加メニューは、チャットルームでのユーザー入力を通じてチャットルームの下端に表示されることができ、写真、動画、カメラ、共同ショッピングサービのショートカットメニューなどを含む複数のメニューを含むことができる。ホスト端末（１１０）は、追加メニューを通じて表示された共同ショッピングサービスのショートカットメニューの選択を受けて、チャットルームに属しているメンバーを共同ショッピングサービスに直ぐに招待することができる。
【００６９】
ステップＳ３２０において、共同ショッピングサービス提供装置（１００）は、提供した複数の友人またはチャットルームに、リストの中、少なくとも一人の友人またはチャットルームに対する情報をホスト端末（１１０）から受信することができる。
【００７０】
ステップＳ３３０において、共同ショッピングサービス提供装置（１００）は、ホスト端末（１１０）から受信した情報に該当する友人またはチャットルームに属しているメンバーに対応するゲスト端末（１２０）に、チャットアプリケーションを通じて招待メッセージを転送することができる。
【００７１】
ステップＳ３４０において、共同ショッピングサービス提供装置（１００）は、ゲスト端末（１２０）から招待メッセージに対する受諾信号を受信する場合、ホスト端末（１１０）のショッピングカート領域に入れ込むことができる商品リストをホスト端末（１１０）及びゲスト端末（１２０）に提供することができる。また、共同ショッピングサービス提供装置（１００）は、招待メッセージなしに招待されたゲスト端末（１２０）に、ホスト端末（１１０）のショッピングカート領域に入れ込むことができる商品リストを提供することができる。
【００７２】
ステップＳ３５０において、共同ショッピングサービス提供装置（１１０）は、商品リスト内でホスト端末（１１０）及びゲスト端末（１２０）の中、少なくとも何れか一つにより選択された商品に対する決済情報を受信することができる。例えば、決済情報は、選択された商品に対して注文を要請するための注文情報を意味するか、これを含むことができる。この場合、注文情報は、選択された商品に対する情報及び決済金額情報を含む。それ以後、共同ショッピングサービス提供装置（１００）とカード社サーバーまたは決済代行サーバーの間で、決済金額処理（決済承認）などの過程のための情報が送受信されることができる。
【００７３】
図３には示されていないが、ホスト端末（１１０）またはホスト端末（１１０）が指定したユーザーの端末により選択された商品に対する決済が行われる場合、共同ショッピングサービス提供装置（１１０）は、ホスト端末（１１０）及びゲスト端末（１２０）に提供中の共同ショッピングサービスを終了させることができる。
【００７４】
上述した説明において、ステップＳ３１０〜Ｓ３５０は、本発明の具現例に従い、追加的なステップに更に分割されるか、より少ないステップで組み合わされ得る。また、一部のステップは必要に応じて省略されることもでき、ステップ間のフローが転換されることもできる。
【００７５】
図４は、本発明の一実施例に係るホスト端末の構成図である。
【００７６】
図４に示すように、本発明の一実施例に係るホスト端末（１１０）は、招待リスト提供部（４１０）、招待部（４２０）、及び共同ショッピングサービス提供部（４３０）を含むことができる。以下では、各構成について具体的に説明する。
【００７７】
招待リスト提供部（４１０）は、チャットアプリケーションを通じて登録されている複数の友人またはチャットルームに対するリストを提供することができる。例えば、招待リスト提供部（４１０）は、ユーザーの要請により共同ショッピングサービス提供装置（１００）からチャットアプリケーションを通じて登録されている複数の友人またはチャットルームに対するリストの提供を受け、これをユーザーに提供することができる。複数の友人はホスト端末（１１０）のユーザーの知り合いであって、ホスト端末（１１０）に設けられたチャットアプリケーション通じて既に登録されている友人であり、チャットルームは、ホスト端末（１１０）のユーザーが参加して、他のユーザーとインスタントメッセージを取り交わすチャットルームであり得る。
【００７８】
招待部（４２０）は、複数のリストの中、少なくとも一人の友人またはチャットルームを選択するユーザー入力が受信され得る。また、招待部（４２０）は、選択された友人または選択されたチャットルームに属している友人に対応するゲスト端末（１２０）に招待メッセージが転送されるように、共同ショッピングサービス提供サーバー（１００）に選択された友人に対する情報を転送することができる。それ以後、共同ショッピングサービス提供サーバー（１００）は、受信を受けた選択された友人に対する情報に基づいて該ゲスト端末（１２０）にチャットアプリケーションを通じてインスタントメッセージの形式で招待メッセージを転送することができる。一方、ホスト端末（１１０）に登録されている友人であるか否かとは関係なく、選択されたチャットルームにメンバーとして属している友人は皆招待メッセージを受信することができる。
【００７９】
尚、招待部（４２０）は、チャットアプリケーションを通じてショッピングサービスに直ぐに引入される場合であって、ホスト端末（１１０）のユーザーが現在対話中のチャットルームでチャットルームの追加メニューに対する選択などを通じて共同ショッピングサービスに参加できるように、チャットルームに属しているメンバーに対する情報を共同ショッピングサービス提供装置（１００）に転送することができる。すなわち、招待部（４２０）は、招待メッセージの転送及び受信なしに招待されたチャットルームのメンバーの情報を提供して、共同ショッピングサービスに参加させることができる。例えば、追加メニューは、チャットルームでのユーザー入力を通じてチャットルームの下端に表示されることができ、写真、動画、カメラ、共同ショッピングサービスのショートカットメニューなど含む複数のメニューを含むことができる。ホスト端末（１１０）は、追加メニューを通じて表示された共同ショッピングサービスのショートカットメニューの選択を受けて、チャットルームに属しているメンバーを共同ショッピングサービスに直ぐに招待することができる。
【００８０】
共同ショッピングサービス提供部（４３０）は、ホスト端末（１１０）のショッピングカート領域に入れ込むことができる商品リストを共同ショッピングサービス提供装置（１００）から受信してユーザーに提供することができる。商品リストは、ホスト端末（１１０）により決定される配送地の位置に基づいて生成され得る。
【００８１】
共同ショッピングサービス提供部（４３０）は、ホスト端末（１１０）の配送地の位置を決定するためのユーザー入力を受信することができる。例えば、配送地の位置は、ホスト端末（１１０）の現在位置に該当するＧＰＳ情報、特定の地域名、または地図上のＰＯＩ（Ｐｏｉｎｔ  ｏｆ  Ｉｎｔｅｒｅｓｔ）などのように、ホスト端末（１１０）に入力されたユーザー入力に基づいて決定され得る。
【００８２】
共同ショッピングサービス提供部（４３０）は、商品リストを構成する複数の商品の中で少なくとも何れか一つ以上をユーザーから選択を受けることができる。共同ショッピングサービス提供部（４３０）は、選択を受けた商品に対する情報を共同ショッピングサービス提供装置（１００）に要請することができる。
【００８３】
共同ショッピングサービス提供部（４３０）は、ホスト端末（１１０）、招待メッセージに対して受諾した友人またはチャットルームに属しているメンバー、及び招待メッセージなしに招待された友人またはチャットルームに属しているメンバーのゲスト端末（１２０）の中、少なくとも何れか一つにより商品リスト内から選択された商品に対する情報を共同ショッピングサービス提供装置（１００）から受信してユーザーに提供することができる。
【００８４】
共同ショッピングサービス提供部（４３０）は、ユーザー入力により選択された商品に対する決済の要請を受けた場合、選択された商品に対する決済情報を共同ショッピングサービス提供装置（１００）に転送することができる。
【００８５】
図５は、本発明の一実施例に係るホスト端末において、共同ショッピングサービスを提供する方法のフロー図である。
【００８６】
図５に示す実施例に係るホスト端末（１１０）により提供される共同ショッピングサービス提供方法は、図１ないし図４に示す実施例に係る共同ショッピングサービス提供システム（１）において、時系列的に処理されるステップを含む。よって、以下で省略されている内容であるとしても、図１ないし図４に示す実施例に係るホスト端末（１１０）により提供される共同ショッピングサービス提供方法にも適用される。
【００８７】
ステップＳ５１０において、ホスト端末（１１０）は、チャットアプリケーションを通じて登録されている複数の友人またはチャットルームに対するリストを提供することができる。このステップの以前に、ホスト端末（１１０）は、共同ショッピングサービス提供装置（１００）に複数の友人リストまたはチャットルームに対するリストを要請することができる。
【００８８】
ステップＳ５２０において、ホスト端末（１１０）は、複数のリストの中、少なくとも一人の友人またはチャットルームを選択するユーザー入力を受信することができる。
【００８９】
ステップＳ５３０において、ホスト端末（１１０）は、選択された友人または選択されたチャットルームに属しているメンバーに対応するゲスト端末（１２０）に招待メッセージが転送されるように、サーバーに選択された友人に対する情報を転送することができる。一方、ホスト端末（１１０）は、共同ショッピングサービス提供装置（１００）から複数の友人またはチャットルームに対するリストに対する提供がなくても、チャットアプリケーションを通じて複数の友人リストの中、何れか一人の友人に対してロングタッチするなどの入力を通じて、共同ショッピングサービスに対するメニューの選択を受けた少なくとも一人の友人に対する情報をサーバーに転送することができる。例えば、ホスト端末（１１０）は、共同ショッピングサービス提供装置（１００）から複数の友人またはチャットルームに対するリストに対する提供がなくても、ホスト端末（１１０）のユーザーが現在対話中のチャットルームにおいて、チャットルームの追加メニューに対する選択などを通じて共同ショッピングサービスに対するメニューの選択を受けて、該チャットルームに属しているメンバーに対する情報をサーバーに転送することができる。
【００９０】
ステップＳ５４０において、ホスト端末（１１０）は、ホスト端末（１１０）のショッピングカート領域に入れ込むことができる商品リストを提供することができる。
【００９１】
ステップＳ５５０において、ホスト端末（１１０）は、ホスト端末（１１０）及び招待メッセージに対して受諾した友人のゲスト端末（１２０）の中、少なくとも何れか一つにより商品リスト内から選択された商品に対する情報を提供することができる。また、ホスト端末（１１０）は、招待メッセージなしに招待されたゲスト端末（１２０）により商品リスト内から  選択された商品に対する情報を提供することができる。
【００９２】
ステップＳ５６０において、ホスト端末（１１０）は、選択された商品に対する決済情報をサーバーに転送することができる。例えば、決済情報は、選択された商品に対して注文を要請するための注文情報を意味するか、これを含むことができる。この場合、注文情報は、選択された商品に対する情報及び決済金額情報を含む。それ以後、共同ショッピングサービス提供装置（１００）と、カード社サーバーまたは決済代行サーバーの間での決済金額処理（決済承認）などの過程のための情報が送受信され得る。
【００９３】
上述した説明において、ステップＳ５１０〜Ｓ５６０は、本発明の具現例により、追加的なステップに更に分割されるか、更に少ないステップで組み合わされ得る。また、一部のステップは、必要に応じて省略されることもでき、ステップ間のフローが転換されることもできる。
【００９４】
図６Ａないし図６Ｄは、本発明の一実施例に係るチャットアプリケーションを通じて提供される共同ショッピングサービスを示す例示図である。
【００９５】
図６Ａは、本発明の一実施例に係るホスト端末のショッピングカートに対するユーザーインターフェースを説明するための例示図である。図６Ａを参照すれば、ホスト端末（１１０）は、共同ショッピングサービスを要請することにより提供されるショッピングカートＵＩ（６００）を表示することができる。
【００９６】
ショッピングカートＵＩ（６００）は、配送地の位置入力窓（６０１）、友人招待ボタン（６０２）、ショッピングカート状態窓（６０３）、及びショッピングホームボタン（６０４）を含むことができる。
【００９７】
配送地の位置入力窓（６０１）は、ホスト端末（１１０）及びゲスト端末（１２０）に提供される商品リストを生成することにおいて基礎となる配送地の位置の表示または入力を受けることができる。例えば、配送地の位置入力窓（６０１）は、ホスト端末（１１０）の現位置に該当するＧＰＳ情報、特定の地域名、または地図上のＰＯＩ（Ｐｏｉｎｔ  ｏｆ  Ｉｎｔｅｒｅｓｔ）などを配送地の位置として表示または入力を受けることができる。
【００９８】
友人招待ボタン（６０２）は、ユーザー入力を通じて、共同ショッピングサービスを通じてホスト端末（１１０）と共同で商品を購買するゲスト端末（１２０）に該当する友人をチャットアプリケーションを通じて招待することができる。
【００９９】
ショッピングカート状態窓（６０３）は、商品リストの中、ホスト端末（１１０）またはゲスト端末（１２０）の選択により、ショッピングカート（６００）に入れ込まれた商品を表示することができる。
【０１００】
ショッピングホームボタン（６０４）は、ユーザー入力を通じて、現在表示中のショッピングカート（６００）からショッピングホームに切り替えることができる。
【０１０１】
図６Ｂは、本発明の一実施例に係るホスト端末のショッピングカート招待に対するユーザーインターフェースを説明するための例示図である。図６Ａ〜図６Ｂを参照すれば、ホスト端末（１１０）は、友人招待ボタン（６０２）に対する入力を通じてショッピングカートに招待することができる団体チャットルームリストまたは友人リストを表示することができる。ホスト端末（１１０）は、団体チャットルーム項目（６０５）の選択を受ける場合、複数の団体チャットルームを含む団体チャットルームリストを表示することができ、友人項目（６０６）の選択を受ける場合、複数の友人を含む友人リストを表示することができる。
【０１０２】
ホスト端末（１１０）は、招待ボタン（６０７）の入力を受けて選択された少なくとも何れか一つの団体チャットルームまたは選択された少なくとも一人の友人をホスト端末（１１０）のユーザーのショッピングカートに招待することができる。
【０１０３】
図６Ｃは、本発明の一実施例に係るホスト端末のショッピングホームに対するユーザーインターフェースを説明するための例示図である。図６Ａ〜図６Ｃを参照すれば、ホスト端末（１１０）は、ショッピングホームボタン（６０４）の入力を受けた場合、広告領域（６０８）、自分の過去のショッピング領域（６０９）、及びショッピング状態窓（６１０）を含むショッピングホームを表示することができる。
【０１０４】
広告領域（６０８）は、共同ショッピングサービスから提供する広告を表示することができる。
【０１０５】
自分の過去のショッピング領域（６０９）は、過去の共同ショッピングを通じて購買された、少なくとも何れか一つの商品に対する情報のような共同ショッピングサービスに対する利用ヒストリーを表示することができる。
【０１０６】
ショッピング状態窓（６１０）は、現在、ホスト端末（１１０）のショッピングカートにおいて共同ショッピングサービスを行っているゲスト端末（１２０）のユーザーの数を表示することができる。
【０１０７】
図６Ｄは、本発明の一実施例に係る商品が入れ込まれたホスト端末のショッピングカートに対するユーザーインターフェースを説明するための例示図である。図６Ｄを参照すれば、商品が入れ込まれたホスト端末（１１０）のショッピングカートＵＩ（６１１）は、ショッピング状態窓（６１２）、配送地の位置入力窓（６１３）、入れ込まれた商品リスト（６１４）、及び注文ボタン（６１５）を表示することができる。
【０１０８】
ショッピング状態窓（６１２）は、現在、ホスト端末（１１０）のショッピングカートで共同ショッピングサービスを行っているゲスト端末（１２０）のユーザーの数を表示することができる。
【０１０９】
配送地の位置表示窓（６１３）は、ホスト端末（１１０）及びゲスト端末（１２０）に提供される商品リストを生成することにおいて基礎となる配送地の位置の表示または入力を受けることができる。
【０１１０】
入れ込まれた商品リスト（６１４）は、商品リストの中、ホスト端末（１１０）またはゲスト端末（１２０）により選択を受けて、ホスト端末（１１０）のショッピングカート（６１１）に入れ込まれた少なくとも何れか一つ以上の商品を表示することができる。
【０１１１】
注文ボタン（６１５）は、ユーザー入力を通じてホスト端末（１１０）のショッピングカート（６１１）に入れ込まれた少なくとも何れか一つ以上の商品に対して注文を進行することができる。
【０１１２】
図７は、本発明の一実施例に係る共同ショッピングサービスにおいて、チャットアプリケーションを通じて提供される招待メッセージを示す例示図である。
【０１１３】
図７の左図は、本発明の一実施例に係る招待メッセージを受信した団体チャットルームを説明するための例示図である。図７を参照すれば、団体チャットルーム（７０１）は、ショッピング情報領域（７０２）及び受諾ボタン（７０３）を含む招待メッセージを受信することができる。
【０１１４】
団体チャットルーム（７０１）は、ホスト端末（１１０）が参加中の団体チャットルームであって、団体チャットルーム（７０１）のメンバーは、団体チャットルーム（７０１）に表示されるインスタントメッセージを通じて情報を取り交わすことができる。
【０１１５】
団体チャットルーム（７０１）は、ホスト端末（１１０）により共同ショッピングサービスに招待された団体チャットルームであって、招待メッセージをインスタントメッセージの形式で受信することができる。団体チャットルーム（７０１）は、団体チャットルーム（７０１）に属しているメンバーの中、ホスト端末（１１０）の友人として登録されていないメンバーが存在しても招待メッセージを受信することができる。
【０１１６】
ショッピング情報領域（７０２）は、ホスト端末（１１０）から入力を受けたコメントまたは共同ショッピングサービスに対する基本コメントを表示することができる。
【０１１７】
受諾ボタン（７０３）は、ユーザー入力を通じてホスト端末（１１０）による招待の受諾を受けることができる。例えば、団体チャットルーム（７０１）のメンバーは、招待メッセージの受諾ボタン（７０３）を通じてホスト端末（１１０）が要請した共同ショッピングサービスに参加することができる。
【０１１８】
図７の右図は、本発明の一実施例に係る招待メッセージを受信した個別チャットルームを説明するための例示図である。図７を参照すれば、個別チャットルーム（７０４）は、ショッピング情報領域（７０５）及び受諾ボタン（７０６）を含む招待メッセージを受信することができる。
【０１１９】
個別チャットルーム（７０４）は、ホスト端末（１１０）が参加中の個別チャットルームであって、個別チャットルーム（７０４）に属しているホスト端末（１１０）及びホスト端末（１１０）に登録されている友人は個別チャットルーム（７０４）に表示されるインスタントメッセージを通じて情報を取り交わすことができる。
【０１２０】
個別チャットルーム（７０４）は、ホスト端末（１１０）の登録されている複数の友人の中、ホスト端末（１１０）により共同ショッピングサービスに招待された友人に対応するチャットルームであって、招待メッセージをインスタントメッセージの形式で受信することができる。
【０１２１】
ショッピング情報領域（７０５）は、ホスト端末（１１０）から入力を受けたコメントまたは共同ショッピングサービスに対する基本コメントを表示することができる。
【０１２２】
受諾ボタン（７０６）は、ユーザー入力を通じてホスト端末（１１０）による招待の受諾を受けることができる。例えば、個別チャットルーム（７０１）に対応する友人は招待メッセージの受諾ボタン（７０６）を通じてホスト端末（１１０）が要請した共同ショッピングサービスに参加することができる。
【０１２３】
図８は、本発明の一実施例に係る商品に対して決済が完了した共同ショッピングサービスを示す例示図である。
【０１２４】
図８の左図は、本発明の一実施例に係る共同ショッピング完了メッセージを受信した団体チャットルームを説明するための例示図である。図８を参照すれば、団体チャットルームは、共同ショッピングサービスが終了した後、ショッピング完了情報領域（８０１）及び内訳確認ボタン（８０２）を含む共同ショッピング完了メッセージを受信することができる。一方、団体チャットルームのメンバーの中、ホスト端末（１１０）の共同ショッピングサービスに参加していないメンバーは、共同ショッピング完了メッセージの閲覧ができないように設定されることができる。
【０１２５】
団体チャットルームは、ホスト端末（１１０）により共同ショッピングサービスに招待された団体チャットルームであって、共同ショッピングサービスが終了した後、共同ショッピング完了メッセージをインスタントメッセージの形式で受信することができる。団体チャットルームは、団体チャットルームに属しているメンバーの中、ホスト端末（１１０）の共同ショッピングサービスに参加していないメンバーが存在しても、共同ショッピング完了メッセージを受信することができる。
【０１２６】
ショッピング完了情報領域（８０１）は、共同ショッピングサービスに対する完了コメント、購買した商品の個数、及び総購買金額などを表示することができる。
【０１２７】
内訳確認ボタン（８０２）は、ユーザー入力を通じて終了した共同ショッピングサービスに対する内訳を確認することができる。例えば、団体チャットルームのメンバーは、ショッピング完了メッセージの内訳確認ボタン（８０２）を通じて終了した共同ショッピングサービスの内訳を閲覧することができる。
【０１２８】
一方、個別チャットルームも共同ショッピングサービスが終了した後、上述した共同ショッピング完了メッセージを受信することができる。
【０１２９】
図８の右図は、本発明の一実施例に係る終了したショッピングサービスの内訳の確認に対するユーザーインターフェースを説明するための例示図である。図８を参照すれば、団体チャットルームのメンバーは、受信された共同ショッピング完了メッセージの内訳の確認ボタン（８０２）を通じて、終了した共同ショッピングサービスに対する注文内訳ページ（８０３）の提供を受けることができる。
【０１３０】
終了した共同ショッピングサービスに対する注文内訳ページ（８０３）は、ホスト端末（１１０）またはゲスト端末（１２０）により選択され、ホスト端末（１１０）により決済が完了した注文商品に対するリスト（８０４）を表示することができる。
【０１３１】
注文商品に対するリスト（８０４）は、注文された少なくとも何れか一つの商品に対する情報をリスト形式で表示し、注文された各商品に対する情報は、商品名、価格、割引価格、該商品を選択したゲスト端末（１２０）に該当するユーザーの情報、商品の個数、注文された商品の総個数、または商品が購買された販売先の情報などを含むことができる。
【０１３２】
図９は、本発明の一実施例に係る共同ショッピングサービス提供システムにおいて、共同ショッピングサービスを提供する方法の信号フロー図である。
【０１３３】
ステップＳ９０１において、ホスト端末（１１０）は、共同ショッピングサービス提供装置（１００）に共同ショッピングサービスに対して要請することができる。
【０１３４】
ステップＳ９０２において、共同ショッピングサービス提供装置（１００）は、ホスト端末（１１０）に設けられたチャットアプリケーションを通じて登録されている複数の友人またはチャットルームに対するリストを提供することができる。
【０１３５】
ステップＳ９０３において、ホスト端末（１１０）は、リストの中、少なくとも一人の友人またはチャットルームに対する情報を共同ショッピングサービス提供装置（１００）に転送することができる。
【０１３６】
ステップＳ９０４において、共同ショッピングサービス提供装置（１００）は、友人またはチャットルームに属している友人に対応するゲスト端末（１２０）に、チャットアプリケーションを通じて招待メッセージを転送することができる。
【０１３７】
ステップＳ９０５において、ゲスト端末（１２０）は、招待メッセージに対する受諾信号を共同ショッピングサービス提供装置（１００）に転送することができる。
【０１３８】
ステップＳ９０６において、共同ショッピングサービス提供装置（１００）は、ホスト端末（１１０）のショッピングカート領域に入れ込むことができる商品リストをホスト端末（１１０）及びゲスト端末（１２０）に提供することができる。
【０１３９】
ステップＳ９０７において、ホスト端末（１１０）及びゲスト端末（１２０）は、商品リスト内から選択された少なくとも何れか一つの商品に対する情報を共同ショッピングサービス提供装置（１００）に要請することができる。
【０１４０】
ステップＳ９０８において、共同ショッピングサービス提供装置（１００）は、要請に応答して選択された商品に対する情報をホスト端末（１１０）及びゲスト端末（１２０）に提供することができる。
【０１４１】
ステップＳ９０９において、ホスト端末（１１０）は、選択された商品に対する決済情報を共同ショッピングサービス提供装置（１００）に転送することができる。
【０１４２】
ステップＳ９１０において、共同ショッピングサービス提供装置（１００）は、決済情報に基づいて、商品に対する決済を完了することができる。
【０１４３】
ステップＳ９１１において、共同ショッピングサービス提供装置（１００）は、チャットアプリケーションを通じて、ゲスト端末（１２０）に共同ショッピング完了メッセージを転送することができる。
【０１４４】
上述した説明において、ステップＳ９０１〜Ｓ９１１は、本発明の具現例により、追加的なステップに更に分割されるか、更に少ないステップで組み合わされることができる。また、一部のステップは必要に応じて省略されることもでき、ステップ間の手順が転換されることもできる。
【０１４５】
図１０は、本発明の他の実施例に係る共同ショッピングサービス提供システムにおいて、共同ショッピングサービスを提供する方法の信号フロー図である。
【０１４６】
ステップＳ１００１において、ホスト端末（１１０）は、チャットアプリケーションを通じて選択された少なくとも一人の友人に対するリストまたは共同ショッピングサービスと係わって既に設定された動作の入力（例えば、チャットルームに対するスワイピング入力など）を受けたチャットルームに属しているメンバーに対するリストを共同ショッピングサービス提供装置（１００）に転送することができる。例えば、ホスト端末（１１０）は、既に設定された動作であって、チャットルームを通じて共同ショッピングサービスに関する追加メニューが選択されるか、共同ショッピングサービスとマッピングされたスワイピング動作の入力を受けることで、チャットルームに属しているメンバーに共同ショッピングサービスを提供することができる。
【０１４７】
ステップＳ１００２において、共同ショッピングサービス提供装置（１００）は、ホスト端末（１１０）のショッピングカート領域に入れ込むことができる商品リストを、ホスト端末（１１０）及び転送された友人に対するリストまたはチャットルームに属しているメンバーに対するリストに該当するゲスト端末（１２０）に提供することができる。
【０１４８】
ステップＳ１００３において、ホスト端末（１１０）及びゲスト端末（１２０）は、商品リスト内から選択された少なくとも何れか一つの商品に対する情報を共同ショッピングサービス提供装置（１００）に要請することができる。
【０１４９】
ステップＳ１００４において、共同ショッピングサービス提供装置（１００）は、要請に応答して選択された商品に対する情報を、ホスト端末（１１０）及びゲスト端末（１２０）に提供することができる。
【０１５０】
ステップＳ１００５において、ホスト端末（１１０）は、選択された商品に対する決済情報を共同ショッピングサービス提供装置（１００）に転送することができる。
ステップＳ１００６において、共同ショッピングサービス提供装置（１００）は、決済情報に基づいて、商品に対する決済を完了することができる。
【０１５１】
ステップＳ１００７において、共同ショッピングサービス提供装置（１００）は、チャットアプリケーションを通じて、ゲスト端末（１２０）に共同ショッピング完了メッセージを転送することができる。
【０１５２】
上述した説明において、ステップＳ１００１〜Ｓ１００７は、本発明の具現例により、追加的なステップに更に分割されるか、更に少ないステップで組み合わされることができる。また、一部のステップは必要に応じて省略されることもでき、ステップ間のフローが転換されることもできる。
【０１５３】
図１〜図１０を通じて説明されたチャットアプリケーションに基づいた共同ショッピングサービスを提供する装置及び方法は、コンピュータにより実行される媒体に格納されたコンピュータプログラムまたはコンピュータにより実行可能な命令語を含む記録媒体の形態でも具現され得る。また、図１〜図１０を通じて説明されたチャットアプリケーションに基づいた共同ショッピングサービスを提供する装置及び方法は、コンピュータにより実行される媒体に格納されたコンピュータプログラムの形態でも具現され得る。
【０１５４】
本発明の実施例は、コンピュータにより実行される媒体に保存されたコンピュータプログラム、またはコンピュータにより実行可能な命令語を含む記録媒体の形態でも具現されることができる。コンピュータ読み取り可能な媒体は、コンピュータによってアクセスできる任意の可用媒体であっても良く、揮発性及び非揮発性媒体、分離型及び非分離型の媒体を全て含む。また、コンピュータ読み取り可能な媒体は、コンピュータ保存媒体及び通信媒体を全て含み得る。コンピュータ保存媒体は、コンピュータ読み取り可能な命令語、データ構造、プログラムモジュールまたはその他のデータのような情報保存のための任意の方法または技術に具現された揮発性及び非揮発性、分離型及び非分離型の媒体を全て含む。通信媒体は、典型的にコンピュータ読み取り可能な命令語、データ構造、プログラムモジュール、または搬送波のような変調されたデータ信号のその他データ、またはその他の転送メカニズムを含み、任意の情報伝達媒体を含む。
【０１５５】
本発明の方法及びシステムは、特定の実施例と係わって説明されているが、それらの構成要素または動作の一部や全部は、汎用ハードウェアアーキテクチャーを有するコンピュータシステムを用いて具現されることができる。
【０１５６】
上述した本発明の説明は例示のためのことであり、本発明の属する技術分野において通常の知識を有する者であれば、本発明の技術的思想や必須の特徴を変更せずに他の具体的な形態で容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【０１５７】
本発明の範囲は、詳細な説明よりは後述する特許請求の範囲によって示され、特許請求の範囲の意味及び範囲、並びにその均等概念から導出される全ての変更または変形された形態が本発明の範囲に含まれることと解釈されなければならない。
【図１】
2018181342.tif 000003
【図２】
2018181342.tif 000004
【図３】
2018181342.tif 000005
【図４】
2018181342.tif 000006
【図５】
2018181342.tif 000007
【図６Ａ】
2018181342.tif 000008
【図６Ｂ】
2018181342.tif 000009
【図６Ｃ】
2018181342.tif 000010
【図６Ｄ】
2018181342.tif 000011
【図７】
2018181342.tif 000012
【図８】
2018181342.tif 000013
【図９】
2018181342.tif 000014
【図１０】
2018181342.tif 000015